(57)【要約】【課題】  全体の高さを必要以上に高くする必要のない飲料容器ホルダーを提供すること。【解決手段】  本発明の飲料容器ホルダーは、保持した飲料容器の上部を被覆する蓋体を有する飲料容器ホルダーであって、蓋体は、飲料容器の上部で水平方向に移動して飲料容器の上部を被覆することを特徴とする。本発明の飲料容器ホルダーは、水平方向に移動することで蓋体の開閉が行われるものであり、蓋体の回動のためのスペースが高さ方向に必要とならなくなっており、全体の高さを必要以上に高くする必要がなくなっている。【選択図】  なし【特許請求の範囲】
【請求項１】
保持した飲料容器の上部を被覆する蓋体を有する飲料容器ホルダーであって、
該蓋体は、該飲料容器の上部で水平方向に移動して該飲料容器の上部を被覆することを特徴とする飲料容器ホルダー。
【請求項２】
前記蓋体は、前記飲料容器の上部を被覆していない状態では互いに離反する方向に開く二つの蓋部よりなる請求項１記載の飲料容器ホルダー。
【請求項３】
二つの前記蓋部は、付勢手段により開く方向に応力が付与されている請求項２記載の飲料容器ホルダー。
【請求項４】
前記飲料容器の側面部を保持する保持手段を有する請求項１記載の飲料容器ホルダー。
【請求項５】
前記保持手段は、前記飲料容器を保持していないときには閉じ、該飲料容器を保持したときには開く保持部材よりなる請求項４記載の飲料容器ホルダー。
【発明の詳細な説明】
【技術分野】
【０００１】
本発明は、飲料物が入った飲料容器を保持する飲料容器ホルダーに関し、詳しくは、車両等において飲料容器を手に持っていないときに飲料物がこぼれないように保持する飲料容器ホルダーに関する。
【背景技術】
【０００２】
自動車等の車両には、車室内でコーヒーやジュース等の飲料物を入れたカップを載置するカップホルダーなどの飲料容器ホルダーが取り付けられている。従来の飲料容器ホルダーとしては、特許文献１〜３に記載されたカップホルダーがある。
【０００３】
上記の各特許文献に記載のカップホルダーは、底板を有し少なくとも上面が開口し飲料容器の側面部を保持する筒体と、筒体の開口部の上方にもうけられ飲料容器の上面を塞ぐ蓋体と、を有する構造を有している。蓋体は、カップホルダーにカップを保持させたときに車室内のほこりがカップ内の飲料物に入ったり、車両のゆれ等によりカップ内の飲料物がカップの外に飛び出したときに飲料物が車室内に飛散しないようにするためにもうけられている。
【０００４】
しかしながら、上記各特許文献に記載されたカップホルダーは、飲料容器の上部を閉塞した状態で蓋体の端部にもうけられた回動軸により蓋体が上下方向に回動する構成を有するものであり、飲料容器の高さに加えて蓋体が回動するための高さも必要となるため飲料容器ホルダー全体の高さが高くなり、ホルダーの取り付け位置によっては操作に支障をきたすようになる。
【０００５】
さらに、蓋体が上下方向に回動するホルダーにおいては、飲料容器をホルダーの所定の位置に載置するときに、蓋体が邪魔になり、場合によっては飲料物がカップからこぼれるという不具合があった。
【特許文献１】特開平７−１６４９４７号公報
【特許文献２】特開平７−２２８１８１号公報
【特許文献３】特開２００１−２５３２９０号公報
【発明の開示】
【発明が解決しようとする課題】
【０００６】
本発明は上記実状に鑑みてなされたものであり、全体の高さを必要以上に高くする必要のない飲料容器ホルダーを提供することを課題とする。
【課題を解決するための手段】
【０００７】
上記課題を解決するために本発明者は蓋体の回動に関して検討を重ねた結果、蓋体が水平方向に移動する飲料容器ホルダーとすることで上記課題を解決できることを見出した。
【０００８】
すなわち、本発明の請求項１に記載の飲料容器ホルダーは、保持した飲料容器の上部を被覆する蓋体を有する飲料容器ホルダーであって、蓋体は、飲料容器の上部で水平方向に移動して飲料容器の上部を被覆することを特徴とする。
【０００９】
本発明の飲料容器ホルダーは、水平方向に移動することで蓋体の開閉が行われるものであり、蓋体の回動のためのスペースが高さ方向に必要としない。
【００１０】
請求項２に記載の飲料容器ホルダーは、請求項１に記載の飲料容器ホルダーにおいて、蓋体が、飲料容器の上部を被覆していない状態では互いに離反する方向に開く二つの蓋部よりなる飲料容器ホルダーである。
【００１１】
請求項２に記載の飲料容器ホルダーは、蓋体が二つの蓋部よりなることで、蓋部の移動距離が短くなる。
【００１２】
請求項３に記載の飲料容器ホルダーは、請求項２に記載の飲料容器ホルダーにおいて、二つの蓋部が、付勢手段により開く方向に応力が付与されている飲料容器ホルダーである。
【００１３】
請求項３に記載の飲料容器ホルダーは、蓋部に応力が付与されることで、蓋部が開いた状態に保持される。
【００１４】
請求項４に記載の飲料容器ホルダーは、請求項１に記載の飲料容器ホルダーにおいて、飲料容器の側面部を保持する保持手段を有する飲料容器ホルダーである。
【００１５】
請求項４に記載の飲料容器ホルダーは、保持手段を有することで、飲料容器を保持することができる。
【００１６】
請求項５に記載の飲料容器ホルダーは、請求項４に記載の飲料容器ホルダーにおいて、保持手段は、飲料容器を保持していないときには閉じ、飲料容器を保持したときには開く保持部材よりなる飲料容器ホルダーである。
【００１７】
請求項５に記載の飲料容器ホルダーは、飲料容器を保持したときに飲料容器が露出することとなる。
【発明の効果】
【００１８】
本発明の飲料容器ホルダーは、蓋体が水平方向に移動することで飲料容器の上部を被覆する。このため、飲料容器を保持したときの飲料容器の上部に蓋体の移動（回動）のためのスペースを必要としなくなっている。すなわち、本発明の飲料容器ホルダーは、全体の高さを必要以上に高くする必要がなくなっている。
【発明を実施するための最良の形態】
【００１９】
本発明の飲料容器ホルダーは、保持した飲料容器の上部を被覆する蓋体を有する。飲料容器は液体の飲料物が入れられるものであり、飲料容器の上部に飲み口がもうけられる。このため、飲み口がもうけられた飲料容器の上部を蓋体で被覆することで、容器内の飲料物が飲料容器からこぼれなくなる。
【００２０】
本発明の飲料容器ホルダーにおいて蓋体は、飲料容器が保持されたときにその上部を被覆するものであり、飲料容器が保持されていないときには、飲料容器を保持させるときに蓋体が邪魔にならないように、蓋体が飲料容器の上部の位置に位置しなくなっている。そして、飲料容器ホルダーが飲料容器を保持した状態で飲料容器の上部を蓋体が被覆する。このため、飲料容器ホルダーには、飲料容器を保持したときに上部を被覆し、保持していないときは上部の位置を開放する蓋体が用いられる。すなわち、飲料容器において蓋体は、飲料容器の上部で移動可能にもうけられる。
【００２１】
本発明の飲料容器ホルダーにおいて蓋体は、飲料容器の上部で水平方向に移動して飲料容器の上部を被覆する。ここで、本発明の飲料容器ホルダーにおいて、蓋体が水平方向に移動することで、蓋体の移動のためのスペースが飲料容器ホルダーの上部に必要とならなくなり、飲料容器ホルダーの使用時に要求される高さを短くすることができる。
【００２２】
本発明の飲料容器ホルダーにおいて、蓋体の移動方法は特に限定されるものではない。すなわち、蓋体が移動する方向にガイドをもうけこのガイドにそって水平方向にスライドさせる方法や、所定の位置にもうけた回動軸に回動可能に蓋体を組み付けて回動軸まわりを回動させる方法などの方法をあげることができる。ここで、蓋体の移動は、飲料容器の上部を被覆したときに蓋体の端部にもうけられた回動軸の周囲を回動してなされることが好ましい。
【００２３】
蓋体は、複数の蓋部よりなることが好ましい。蓋体が複数の蓋部よりなることで、それぞれの蓋部の移動距離を短くすることができ、本発明の飲料容器ホルダーの体格を小型化できる。
【００２４】
ここで、蓋部の数は特に限定されるものではないが、二つであることが好ましい。すなわち、蓋体は、飲料容器の上部を被覆していない状態では互いに離反する方向に開いている二つの蓋部よりなることが好ましい。
【００２５】
蓋体は、飲料容器の上部を被覆していない状態では互いに離反する方向に複数の蓋部を付勢する付勢手段を有することが好ましい。付勢手段を有することで、複数の蓋部が開いた状態で保持される。すなわち、飲料容器を保持していない状態では、複数の蓋部が開放しているため、飲料容器を保持させやすくなる。
【００２６】
付勢手段は、飲料容器を保持しているときには、複数の蓋部が閉じた状態を維持することが好ましい。飲料容器を保持した状態において複数の蓋部が閉じた状態となることで、飲料容器の上部を蓋体が被覆できるようになり、飲料容器ホルダーの蓋体となる。
【００２７】
すなわち、付勢手段は、飲料容器がセットされていないときには蓋部を開放し、飲料容器がセットされたときには蓋部を閉塞することが好ましい。
【００２８】
飲料容器の側面部を保持する保持手段を有することが好ましい。保持手段を有することで、飲料容器を保持することができる。この保持手段は、従来の飲料容器ホルダーにおいて飲料容器を保持する保持手段として用いられているものを用いることができる。たとえば、上部が開口しその内部に飲料容器を挿入して保持する有底略筒状の部材や飲料容器の飲み口の開口部の近傍を挟持する部材等をあげることができる。有底略筒状の部材についても、特に限定されるものではない。
【００２９】
保持手段が有底略筒状を有しているときには、飲料容器の底面が当接する底面部と蓋体との高さが調節可能に形成されたことが好ましい。高さの調節が可能となることで、さまざまな高さの飲料容器を保持できるようになる。
【００３０】
保持手段は、飲料容器を保持していないときには閉じ、飲料容器を保持したときには開く保持部材よりなることが好ましい。保持手段が飲料容器を保持していないときには閉じ、飲料容器を保持したときには開くことで、飲料容器を保持したときに飲料容器が露出することとなる。飲料容器が露出することで、飲料容器がつかみやすくなる（取り出しやすくなる）とともに飲料容器をホルダーから取り出すときに飲料容器あるいは飲料容器を持つ手が保持手段と接触して飲料容器内の飲料物がこぼれなくなる。
【００３１】
保持手段は、複数の保持部材よりなることが好ましい。複数の保持部材よりなることで保持手段の開閉のためのスペースを小さくすることができる。
【００３２】
保持部材の数は、特に限定されるものではないが、二つであることが好ましい。保持手段が二つの保持部材よりなることで、保持手段が十分な開口量を確保することができるとともに小さなスペースで開閉を行うことができる。
【００３３】
保持部材の開閉のための機構は、特に限定されるものではない。たとえば、蓋部の開閉と逆の動作をするように設計された機構であり、上記の蓋部の開閉と同様な機構により行うことが好ましい。
【００３４】
本発明の飲料容器ホルダーにおいては、特に記載されないものについては従来公知の飲料容器ホルダーと同様とすることができる。たとえば、飲料容器ホルダーを構成する材質や飲料容器ホルダーを車両などに取り付ける組み付け手段等については、従来公知と同様とすることができる。
【実施例】
【００３５】
以下、実施例を用いて本発明を説明する。
【００３６】
（実施例１）
本発明の飲料容器ホルダーの実施例として、ペットボトルホルダーを製造した。本実施例のペットボトルホルダーの構成を図１〜５に示した。図１は実施例のペットボトルホルダーの上面図であり、図２は図１中のＩ−Ｉ断面における断面図であり、図３は保持部の上面図であり、図４は蓋体の上面図であり、図５はペットボトルを保持したときの要部断面図である。
【００３７】
本実施例のペットボトルホルダーは、ペットボトル４の本体部４０でありかつスクリュー部４１の下部が挿入される略Ｕ字状の切れ込み１０が形成された水平方向にのびる略板状の保持部１と、保持部２上にもうけられ切れ込み１１に挿入されたペットボトル４の飲み口４２を被覆する蓋体２と、を有する。
【００３８】
蓋体２は、保持部１上で上方の端部側が閉塞した有底円筒状を形成している。この蓋体２は、保持されるペットボトル４のキャップ４５の外周形状よりわずかに大きな内周形状を有している。蓋体２は、円筒が軸対称で切断された半円形状の二つの蓋部２０，２０が、半円形状の直線部２１，２１で当接してなる。二つの蓋部２０，２０の直線部２１，２１は、互いにハメ合い可能な凹部と凸部とが形成されている（図示せず）。
【００３９】
二つの蓋部２０，２０は、半円形状の一方の端部を中心軸として回動可能な状態で保持部１上に組み付けられている。このとき、二つの蓋部２０，２０が回動する回動軸は、保持部１の略Ｕ字状の切れ込み１０の頂点部１１の延長線上に位置している（図においては付勢手段３のもうけられた位置）。蓋部２０，２０は、有底円筒形状の軸心の中空部に突出したガイド（図示せず）がもうけられている。ガイドは、回動軸となる一方の端部から蓋部２０と所定の角度をなす状態で中空部に突出した状態でもうけられた略棒状の部材よりなり、ガイドが押圧されると、蓋部２０が回動軸に沿って回動する。ガイドの略棒状の形状は、ペットボトル４のスクリュー部４１の外周と略一致する形状であることが好ましい。
【００４０】
二つの蓋部２０，２０は、付勢手段３により回動軸と反対の端部が開いた状態を維持されている。本実施例において、付勢手段３にはスプリング３０が用いられた。
【００４１】
本体部１にもうけられた切れ込み１０は、本実施例のペットボトルホルダーに保持されるペットボトル４のスクリュー部４１の下部の太さと略一致する幅を有している。また、切れ込み１０は、スクリュー部４１の下部よりその幅が短く形成されている。このため、切れ込み１０にペットボトル４を挿入すると、スクリュー部４１が切れ込み１０に引っかかり、ペットボトル４が落下することなく保持される。
【００４２】
本体部１の切れ込み１０の近傍の裏面は、ペットボトル４の本体部４０の湾曲した外周と略一致する湾曲形状に形成されている。さらに、本体部１の切れ込み１０の近傍の表面は、本体部１の表面からわずかにくぼんでいる。
【００４３】
本実施例のペットボトルホルダーは、保持部１の表面上に開口した凹部よりなり、ペットボトルのキャップ４５を収容するキャップ入れ１５が形成されている。
【００４４】
本実施例のペットボトルホルダーは、ペットボトル４の本体部４０であって、スクリュー部４１の下部を切れ込み１０に挿入して使用する。ペットボトル４が切れ込みに挿入されていない状態においては、付勢部材３により二つの蓋部２０，２０は開いた状態に保持されている。
【００４５】
そして、ペットボトル４を切れ込みに挿入すると、ペットボトル４のスクリュー部４１の外周が蓋部２０，２０と一体にもうけられたガイドに当接する。さらに、ペットボトル４を押し込むと、ガイドが押圧され、ガイドが回動軸に沿って回動する。このとき、ガイドと一体に形成された蓋部２０，２０も同時に回動する。この回動は、二つの蓋部２０，２０が閉じる方向に回動するものであり、ペットボトル４を切れ込み１０の奥まで押し込むと、二つの蓋部２０，２０が直線部のハメ合い形状が噛み合って、ペットボトル４の飲み口４２を蓋体２が被覆する。また、この蓋部２０，２０の移動は回動軸に沿って回動するものであり、それぞれの蓋部２０，２０はともに水平方向に移動する。すなわち、蓋体２の移動は水平方向で行われる。
【００４６】
この状態で、ペットボトル４を持つ手を離すと、ペットボトル４および飲料物の重量によりペットボトル４に鉛直方向の力がはたらく。そして、ペットボトル４のスクリュー部４１の下面が切れ込み１０の周縁のくぼみに押しつけられ、ペットボトル４が保持部１上に固定、保持される。
【００４７】
なお、本実施例のペットボトルホルダーは、キャップ４５をはずした状態でペットボトル４を保持している。はずしたキャップ４５は、キャップ入れ１５に入れておくことで清潔な状態を維持でき、再度キャップ４５が必要となったときにそのままキャップ４５を使用することができる。
【００４８】
以上に説明したように、本実施例のペットボトルホルダーは、ペットボトル４を保持したときにペットボトル４の飲み口４２を被覆する蓋体２を有している。この蓋体２は、回動軸にを軸として回動する二つの蓋部２０，２０よりなる。すなわち、本実施例のペットボトルホルダーは、蓋体２の開閉の移動のためのスペースがペットボトル４の高さ方向に必要なくなっている。この結果、車両の車室等に設置したときに蓋体が邪魔にならなくなっている。また、本実施例のペットボトルホルダーは、ペットボトルを保持部のみで保持できることとなり、ペットボトルの底面および側面を保持するための部材を必要としなくなっている。
【００４９】
（実施例２）
本発明の飲料容器ホルダーの実施例として、カップホルダーを製造した。本実施例のカップホルダーの構成を図６に示した。
【００５０】
本実施例は、飲料物が入るカップ（あるいは飲料缶）５を保持するカップ保持部６と、カップ保持部１上にもうけられた蓋体２と、を有する。
【００５１】
蓋体２は、実施例１のペットボトルホルダーの蓋体２と同様な構成を有している。すなわち、直線部２１，２１でハメ合い可能な二つの蓋部２０，２０が一方の端部側に回動軸が位置した状態で、付勢手段により開く方向に付勢された状態で組み付けられている。二つの蓋部２０，２０のそれぞれは、ガイド２５を有しており、実施例１と同様にカップ５がガイド２５を押圧すると二つの蓋部２０，２０が閉じるようになる。
【００５２】
カップ保持部６は、軸方向に垂直な断面が略円形状に形成された有底筒状を有している。そして、カップ５の下面と当接する底面部６１を有する。また、カップ保持部６の略円形状の側面部は、蓋体２と同様な方向に開く二つの側面部材６２，６２により形成されている。二つの側面部材６２，６２は、下端が底面部６１と当接している。側面部材６２，６２は、カップ５を保持した状態では開き、カップ５が保持されていない状態では閉じるように蓋体２と同一の回動軸で回動可能な状態でもうけられている。本実施例のカップホルダーにおいて、二つの側面部材６２，６２の開閉によらず、底面部６１は不動な状態でもうけられている。
【００５３】
本実施例のカップホルダーにおいてカップ保持部６は、底面部６１が開口部６０からの距離を調節することが可能な状態である。
【００５４】
本実施例のカップホルダーにおいても、実施例１のペットボトルホルダーと同様に、蓋体２の開閉の移動のためのスペースがカップの高さ方向に必要なくなっている。
【００５５】
また、本実施例のカップホルダーは、カップを保持した状態では開きカップを保持していない状態では閉じた状態となる二つの側面部材によりカップ保持部の側面部が形成されている。カップを保持した状態では側面部材が開き、カップの側面が露出する。このため、カップが露出することで、カップがつかみやすくなっている。また、側面部が開いているため、保持されたカップを取り出すときに、カップあるいはカップを持つ手が側面部と接触しにくくなる。これにより、カップを取り出すときにカップあるいはカップを持つ手が側面部と接触し、カップから飲料物がこぼれることを抑えることが可能となっている。
【図面の簡単な説明】
【００５６】
【図１】実施例１のペットボトルホルダーを示した図である。
【図２】実施例１のペットボトルホルダーの断面を示した図である。
【図３】実施例１のペットボトルホルダーの蓋体の構成を示した図である。
【図４】実施例１のペットボトルホルダーの保持部の構成を示した図である。
【図５】実施例１のペットボトルホルダーにペットボトルを保持させた状態を示した図である。
【図６】実施例２のカップホルダーの構成を示した図である。
【符号の説明】
【００５７】
１…保持部                  １０…切れ込み
１１…頂点部                １５…キャップ入れ
２…蓋体                    ２０…蓋部
２１…直線部
３…付勢手段                ３０…スプリング
４…ペットボトル            ４０…本体部
４１…スクリュー部          ４２…飲み口
４５…キャップ
５…カップ
６…カップ保持部            ６０…開口部
６１…底面部                ６２…側面部材
【図１】
2005112001.tif 000002
【図２】
2005112001.tif 000003
【図３】
2005112001.tif 000004
【図４】
2005112001.tif 000005
【図５】
2005112001.tif 000006
【図６】
2005112001.tif 000007